(57)【要約】【課題】本発明は、変換回路から得られる和電圧と差電圧を、Ｒ／Ｄ変換器を用いることなくＣＰＵに入力させて低コストで直線位置検出信号を得ることを目的とする。【解決手段】本発明による直線位置検出器用受信回路は、複数のオペアンプ(5〜8）からなる変換回路(9)とＣＰＵ(12)との間に一対の整流・平滑回路(20,21)及び一対のＡ／Ｄ変換器(22,23)を設け、直線位置検出器(1)から変換して得た和電圧(VA＋VB)と差電圧(VA−VB)は、整流・平滑されてデジタル化された後にＣＰＵ(12)で直線位置検出信号(13)が得られる構成である。【選択図】図１
2010091322.tif 000002
【特許請求の範囲】
【請求項１】
差動トランス型の直線位置検出器(1)から得られる第１、第２検出信号(1A,1B)を、複数のオペアンプ(5〜8)からなる変換回路(9)を用いて和電圧(VA＋VB)と差電圧(VA−VB)に変換し、前記和電圧(VA＋VB)と差電圧(VA−VB)を用いてＣＰＵ(12)により前記直線位置検出器(1)による直線位置検出信号(13)を出力するようにした直線位置検出器用受信回路において、
前記変換回路(9)と前記ＣＰＵ(12)との間に一対の整流・平滑回路(20,21)及び一対のＡ／Ｄ変換器(22,23)を設け、前記和電圧(VA＋VB)及び差電圧(VA−VB)は、各々整流・平滑後にＡ／Ｄ変換されて前記ＣＰＵ(12)に入力され、前記ＣＰＵ(12)の演算により前記直線位置検出信号(13)を得ることを特徴とする直線位置検出器用受信回路。
【発明の詳細な説明】
【技術分野】
【０００１】
本発明は、直線位置検出器用受信回路に関し、特に、変換回路から得られる和電圧と差電圧を、Ｒ／Ｄ変換器を用いることなくＣＰＵに入力させて低コストで直線位置検出信号を得るための新規な改良に関する。
【背景技術】
【０００２】
従来、用いられていたこの種の直線位置検出器用受信回路としては、社内製作のみで、特に、特許出願をしていないため、特許文献等を開示していないが、図２に社内製作していた構成を挙げることができる。
図２において符号１で示されるものは、ＬＶＤＴとして呼称される差動トランス型の直線位置検出器であり、この直線位置検出器１は、例えば、特開２０００−７４６０７号公報等に開示されているように周知の構成である。
すなわち、図示しない筒体の外周には励磁巻線としての一次巻線２と二次巻線３が巻回され、この筒体内には磁性材からなるコア４が矢印Ａの方向にコア４が直線往復移動自在に設けられている。
【０００３】
前記コア４は、図示していないが、被検出部材である直線移動部材に接続されており、この直線移動部材の直線移動位置を検出することができるように構成されている。
【０００４】
前記直線位置検出器１からの第１二次電圧ＶＢ及び第２二次電圧ＶＡは、第１、第２、第３、第４オペアンプ５、６、７、８からなる周知の変換回路９に入力されている。
前記変換回路９の第２オペアンプ６からは前記各二次電圧ＶＢ、ＶＡの和からなる和電圧ＶＡ＋ＶＢが出力され、前記第４オペアンプ８からは前記各二次電圧ＶＢ、ＶＡの差からなる差電圧ＶＡ−ＶＢが出力されるように構成されている。
【０００５】
前記和電圧ＶＡ＋ＶＢ及び差電圧ＶＡ−ＶＢは、周知のＲ／Ｄ変換器１０に入力され、このＲ／Ｄ変換器１０では、前記和電圧ＶＡ＋ＶＢ及び差電圧ＶＡ−ＶＢを用いて前記コア４の検出位置の算出までを実施し、検出位置データ１１はＣＰＵ１２に入力されて演算が行われ、直線位置検出信号１３が出力されるように構成されている。
【発明の開示】
【発明が解決しようとする課題】
【０００６】
従来の直線位置検出器用受信回路は、以上のように構成されていたため、次のような課題が存在していた。
すなわち、複数のオペアンプからなる変換回路から得られた正弦波からなる和電圧ＶＡ＋ＶＢ及び差電圧ＶＡ−ＶＢを用い、これらの各電圧ＶＡ＋ＶＢとＶＡ−ＶＢの比率に直線位置検出器固有の感度と云うパラメータを乗算する必要があるが、この演算をＲ／Ｄ変換器で行っていた。
しかしながら、このＲ／Ｄ変換器は、例えば、特開２０００−３５３９５７号公報等に開示されているように、その回路構成が極めて複雑で、かつ、高価であるため、直線位置検出器用受信回路がコストアップとなり、普及型等の安価製品を作ることが極めて困難であった。
【課題を解決するための手段】
【０００７】
本発明による直線位置検出器用受信回路は、差動トランス型の直線位置検出器から得られる第１、第２検出信号を、複数のオペアンプからなる変換回路を用いて和電圧と差電圧に変換し、前記和電圧と差電圧を用いてＣＰＵにより前記直線位置検出器による直線位置検出信号を出力するようにした直線位置検出器用受信回路において、前記変換回路と前記ＣＰＵとの間に一対の整流・平滑回路及び一対のＡ／Ｄ変換器を設け、前記和電圧及び差電圧は、各々整流・平滑後にＡ／Ｄ変換されて前記ＣＰＵに入力され、前記ＣＰＵの演算により前記直線位置検出信号を得る構成である。
【発明の効果】
【０００８】
本発明による直線位置検出器用受信回路は、以上のように構成されているため、次のような効果を得ることができる。
すなわち、差動トランス型の直線位置検出器から得られる第１、第２検出信号を、複数のオペアンプからなる変換回路を用いて和電圧と差電圧に変換し、前記和電圧と差電圧を用いてＣＰＵにより前記直線位置検出器による直線位置検出信号を出力するようにした直線位置検出器用受信回路において、前記変換回路と前記ＣＰＵとの間に一対の整流・平滑回路及び一対のＡ／Ｄ変換器を設け、前記和電圧及び差電圧は、各々整流・平滑後にＡ／Ｄ変換されて前記ＣＰＵに入力され、前記ＣＰＵの演算により前記直線位置検出信号を得る構成であるため、従来のＲ／Ｄ変換器を用いた構成と比べると、整流・平滑回路とＡ／Ｄ変換器で済むことになり、従来よりも大幅に簡素化されると共に、コストダウンが可能となる。
【発明を実施するための最良の形態】
【０００９】
本発明は、変換回路から得られる和電圧と差電圧をＲ／Ｄ変換器を用いることなくＣＰＵに入力させて低コストで直線位置検出信号を得るようにした直線位置検出器用受信回路を提供することを目的とする。
【実施例】
【００１０】
以下、図面と共に本発明による直線位置検出器用受信回路の好適な実施の形態について説明する。
尚、従来例と同一又は同等部分には同一符号を付して説明する。
図１において符号１で示されるものは、ＬＶＤＴとして呼称される差動トランス型の直線位置検出器であり、この直線位置検出器１は、例えば、特開２０００−７４６０７号公報等に開示されているように周知の構成である。
【００１１】
すなわち、図示しない筒体の外周には励磁巻線としての一次巻線２と二次巻線３が巻回され、この筒体内には磁性材からなるコア４が矢印Ａの方向にコア４が直線往復移動自在に設けられている。
【００１２】
前記コア４は、図示していないが、被検出部材である直線移動部材に接続されており、この直線移動部材の直線移動位置を検出することができるように構成されている。
【００１３】
前記直線位置検出器１からの第１二次電圧ＶＢ及び第２二次電圧ＶＡは、第１、第２検出信号１Ａ、１Ｂとして第１、第２、第３、第４オペアンプ５、６、７、８からなる周知の変換回路９に入力されている。
前記変換回路９の第２オペアンプ６からは前記各二次電圧ＶＢ、ＶＡの和からなる和電圧ＶＡ＋ＶＢが出力され、前記第４オペアンプ８からは前記各二次電圧ＶＢ、ＶＡの差からなる差電圧ＶＡ−ＶＢが出力されるように構成されている。
【００１４】
正弦波信号からなる前記和電圧ＶＡ＋ＶＢ及び差電圧ＶＡ−ＶＢは、前述の従来例のＲ／Ｄ変換器１０の代わりに設けられた一対の整流・平滑回路２０、２１に入力されて整流・平滑された後、一対のＡ／Ｄ変換器２２、２３に入力されてデジタル信号としてＣＰＵ１２に入力される。
【００１５】
前記和電圧ＶＡ＋ＶＢ及び差電圧ＶＡ−ＶＢが整流・平滑化されてデジタル化した後に前記ＣＰＵ１２に入力されることにより、このＣＰＵ１２では、予め設定されたプログラムによって前記直線位置検出器１の位置算出の演算が実施され、このＣＰＵ１２から直線位置検出信号１３が出力される。
【図面の簡単な説明】
【００１６】
【図１】本発明による直線位置検出器用受信回路を示す回路図である。
【図２】従来構成を示す回路図である。
【符号の説明】
【００１７】
１    直線位置検出器
１Ａ、１Ｂ    第１、第２検出信号
２    一次巻線
３    二次巻線
４    コア
ＶＡ    第２二次電圧
ＶＢ    第１二次電圧
５、６、７、８    オペアンプ
９    変換回路
１２    ＣＰＵ
１３    直線位置検出信号
２０、２１    整流・平滑回路
２２、２３    Ａ／Ｄ変換器
【図１】
2010091322.tif 000003
【図２】
2010091322.tif 000004